(57)【要約】【課題】深さを簡単に変えることができると共に、各深さにおける形状保持に優れた深さ可変帽子を提供する。【解決手段】着用者の少なくとも頭部を覆う可撓性の帽子１００であって、帽子の下側周縁１３ｅよりも距離Ｌだけ上方にて、帽子の内側に取り付けられる１つ以上のライナー３０を有し、ライナーの上下方向の一端側３０ｂが帽子の周方向に沿う距離Ｌの位置で帽子の内面に接続され、ライナーの上下方向の他端側３０ａが自由端として一端側を中心に回動可能であり、ライナーの他端側を帽子の内面で一端側よりも上側に立てたとき、ライナーに重なる帽子の部位の深さｈ１が最大となり、ライナーの他端側を径方向外側に倒すように一端側よりも下側にしたとき、ライナーが帽子の生地を巻き込みつつ、ライナーに重なる帽子の部位の深さｈ２が最小となる、深さ可変帽子である。【選択図】図１
2020204123.tif 000002
【特許請求の範囲】
【請求項１】
着用者の少なくとも頭部を覆う可撓性の帽子であって、
前記帽子の下側周縁よりも距離Ｌだけ上方にて、前記帽子の内側に取り付けられる１つ以上のライナーを有し、
前記ライナーの上下方向の一端側が前記帽子の周方向に沿う前記距離Ｌの位置で前記帽子の内面に接続され、前記ライナーの上下方向の他端側が自由端として前記一端側を中心に回動可能であり、
前記ライナーの前記他端側を前記帽子の内面で前記一端側よりも上側に立てたとき、前記ライナーに重なる前記帽子の部位の深さが最大となり、
前記ライナーの前記他端側を、径方向外側に倒すように前記一端側よりも下側にしたとき、前記ライナーが前記帽子の生地を巻き込みつつ、前記ライナーに重なる前記帽子の部位の深さが最小となる、
深さ可変帽子。
【請求項２】
つばを有する請求項１記載の深さ可変帽子。
【請求項３】
前記帽子は、着用者の頭部を覆うクラウン部と、該クラウン部の下側周縁の全周にわたる接続された鉢巻状の腰部とを有してなる請求項１又は２記載の深さ可変帽子。
【請求項４】
前記帽子のうち、前記ライナーが取り付けられる部位は、生地の合わせ目か、又はステッチが形成されてなる請求項１又は２記載の深さ可変帽子。
【発明の詳細な説明】
【技術分野】
【０００１】
本発明は、例えば飲食店のホールスタッフが着用するキャップ等の帽子に関する。
【背景技術】
【０００２】
着用者の頭部に被せるキャップ状の帽子は各種普及しており、その内面にライナーを取り付けたものも開発されている（特許文献１）。
【先行技術文献】
【特許文献】
【０００３】
【特許文献１】特公昭５３−８４４２０号公報
【発明の概要】
【発明が解決しようとする課題】
【０００４】
ところで、着用者の毛髪量や、その場の雰囲気で、帽子の深さ（帽子の頂部から下側の周縁までの高さ）を変更したいという要望がある。又、着用者の頭の大きさに応じて複数サイズの帽子を用意することは、コストアップや在庫管理の負担に繋がることもある。この点につき、１つのサイズの帽子で対応しようとすると、例えば予めブカブカの帽子を購入し、帽子の深さを浅くしたいときは少し折り畳む等の手法が考えられるが、深さを浅くしたときの帽子の形状保持が不十分であったり、深さの変更に手間がかかるという問題がある。
【０００５】
すなわち、本発明は上記の課題を解決するためになされたものであり、深さを簡単に変えることができると共に、各深さにおける形状保持に優れた深さ可変帽子の提供を目的とする。
【課題を解決するための手段】
【０００６】
本発明の深さ可変帽子は、着用者の少なくとも頭部を覆う可撓性の帽子であって、前記帽子の下側周縁よりも距離Ｌだけ上方にて、前記帽子の内側に取り付けられる１つ以上のライナーを有し、前記ライナーの上下方向の一端側が前記帽子の周方向に沿う前記距離Ｌの位置で前記帽子の内面に接続され、前記ライナーの上下方向の他端側が自由端として前記一端側を中心に回動可能であり、前記ライナーの前記他端側を前記帽子の内面で前記一端側よりも上側に立てたとき、前記ライナーに重なる前記帽子の部位の深さが最大となり、前記ライナーの前記他端側を、径方向外側に倒すように前記一端側よりも下側にしたとき、前記ライナーが前記帽子の生地を巻き込みつつ、前記ライナーに重なる前記帽子の部位の深さが最小となる。
【０００７】
この深さ可変帽子によれば、ライナーを立てたり倒すだけで、ライナーに重なる帽子の部位の深さを簡単に変えることができる。又、帽子の部位の深さが最小となる状態では、ライナーが径方向外側に倒れて帽子の生地を巻き込んで保持するので、帽子の形状保持に優れる。
【０００８】
本発明の深さ可変帽子は、つばを有してもよい。
【０００９】
本発明の深さ可変帽子は、着用者の頭部を覆うクラウン部と、該クラウン部の下側周縁の全周にわたる接続された鉢巻状の腰部とを有してなってもよい。
この深さ可変帽子によれば、クラウン部と腰部の接続部位で帽子の生地が折れるようになるので、ライナーを回動し易くなって好ましい。
【００１０】
本発明の深さ可変帽子において、前記帽子のうち、前記ライナーが取り付けられる部位は、生地の合わせ目か、又はステッチが形成されていてもよい。
この深さ可変帽子によれば、ステッチで帽子の生地が折れるようになるので、この部位でライナーを回動し易くなって好ましい。
【発明の効果】
【００１１】
本発明によれば、深さを簡単に変えることができると共に、各深さにおける形状保持に優れた深さ可変帽子が得られる。
【図面の簡単な説明】
【００１２】
【図１】本発明の一実施形態に係る深さ可変帽子の斜視図である。
【図２】ライナーの平面図である。
【図３】深さ可変帽子の内面図である。
【図４】ライナーを回動させて帽子の深さを変更する方法を示す図である。
【図５】深さ可変帽子の変形例の斜視図である。
【図６】図５の深さ可変帽子のライナーの平面図である。
【図７】図５の深さ可変帽子の内面図である。
【図８】深さ可変帽子の別の変形例の斜視図である。
【図９】図８の深さ可変帽子のライナーの平面図である。
【図１０】図８の深さ可変帽子の内面図である。
【図１１】深さ可変帽子のさらに別の変形例の斜視図である。
【図１２】図１１の深さ可変帽子のライナーの平面図である。
【図１３】図１１の深さ可変帽子の内面図である。
【図１４】図１１の深さ可変帽子において、帽子の深さを変更する別の方法を示す斜視図である。
【図１５】図１４における深さ可変帽子の内面図である。
【図１６】深さ可変帽子のさらに別の変形例の斜視図である。
【図１７】図１６の深さ可変帽子の一部が垂れ下がった状態を示す背面図である。
【発明を実施するための形態】
【００１３】
以下、本発明の実施形態に係る深さ可変帽子について説明する。
図１は本発明の一実施形態に係る深さ可変帽子の斜視図、図２はライナーの平面図、図３は深さ可変帽子の内面図、図４はライナーを回動させて帽子の深さを変更する方法を示す図である。
【００１４】
図１、図３に示すように、深さ可変帽子１００は、着用者の頭部を覆うドーム状（キャップ状）のクラウン部１０と、クラウン部１０の下側周縁の全周に縫い付けられた鉢巻状の腰部２０と、腰部２０の前側の下側周縁に縫い付けられたつば９０と、ライナー３０とを備える。
クラウン部１０は、複数（図１では６枚）のハギ（レンゲ）を生地として縫い合わせて形成され、柔らかく可撓性を有している。
図２に示すように、ライナー３０は、幅がＴの短冊状のメッシュからなり、一の長辺３０ａと、他の長辺３０ｂとを有し、長辺３０ａの両端が丸く面取りされている。ライナーの材質は、例えばポリエステルやナイロン等のメッシュ地とすることができ、帽子１００の布地よりも硬く（変形し難く）するとよい。
長辺３０ａ、３０ｂがそれぞれ特許請求の範囲の「上下方向の他端側」、「上下方向の一端側」に相当する。又、幅Ｔが特許請求の範囲の「上下方向の長さＴ」に相当する。
【００１５】
図１に戻り、腰部２０の上下の長さ（幅）はＬであり、ライナー３０の長辺３０ｂが腰部２０の上側周縁２０ａの内側の前方に縫い付けられている。なお、ライナー３０の長さは腰部２０の周方向長さの約１/２であり、ライナー３０の長手方向両端がほぼ着用者の耳に位置している。
ここで、ライナー３０は、腰部２０の下側周縁２０ｅ（ひいては、深さ可変帽子１００の下側周縁）よりも距離Ｌだけ上方にて、帽子１００の内側に取り付けられることになる。
そして、本例では、Ｔ≒Ｌになっていて、ライナー３０の長辺３０ａが自由端として長辺３０ｂを中心に回動可能になっている。
【００１６】
上記のようなライナー３０の構成により、図４に示すように深さ可変帽子１００の深さを変更可能になっている。
つまり、図４（ａ）に示すように、ライナー３０の長辺３０ａを深さ可変帽子１００（クラウン部１０）の内面で長辺３０ｂよりも上側に立てたとき、ライナー３０に重なるクラウン部１０の深さｈ１が最大となる。
一方、図４（ｂ）に示すように、ライナー３０の長辺３０ａを、径方向外側に倒すようにして長辺３０ｂよりも下側にしたとき、ライナー３０がクラウン部１０の生地を巻き込みつつ、ライナー３０に重なるクラウン部１０の深さｈ２が最小となる。
【００１７】
具体的には、図４（ａ）の状態では、腰部２０の下側周縁２０ｅから幅Ｌ＋Ｔだけ高い位置にライナー３０の長辺３０ａが位置する。これに対し、図４（ｂ）の状態では、ライナー３０が腰部２０と重なるので、ライナー３０に重なるクラウン部１０の深さはＴだけ浅くなる。
但し、図１（ｂ）のように、ライナー３０を径方向外側に倒すと、クラウン部１０の耳よりも前方のみの深さはｈ２に浅くなるが、クラウン部１０の後ろ側の深さはライナーが存在しないのでｈ１のままとなる。
【００１８】
このように、ライナー３０を立てたり倒すだけで、ライナー３０に重なるクラウン部１０の深さを簡単に変えることができる。又、クラウン部１０の深さが最小となる状態では、ライナー３０が径方向外側に倒れてクラウン部１０の生地を巻き込んで保持するので、帽子の形状保持に優れる。
【００１９】
図５〜図７は、深さ可変帽子の変形例を示す。
図５に示す深さ可変帽子１１０は、クラウン部１１と、クラウン部１１の下側周縁の全周に縫い付けられた腰部２１と、腰部２１の前側の下側周縁に縫い付けられたつば９１と、３つのライナー３１１、３１２、３１３とを備える。クラウン部１１、腰部２１及びつば９１は、図１のクラウン部１０、腰部２０及びつば９０と略同一であるので説明を省略する。ただし、クラウン部１１は、８枚のハギ（レンゲ）を生地として縫い合わせて形成されている。又、クラウン部１１の後下方が切り欠き１１ｒとなっている。
【００２０】
図６に示すように、深さ可変帽子１１０は、３つのライナー３１１、３１２、３１３を備えている。各ライナー３１１、３１２、３１３の形状は、図１のライナー３０と略同一であるが、３つのライナー３１１、３１２、３１３の長さの合計が、腰部２１の周方向長さよりやや短い。
そして、図５、図７に示すように、ライナー３１１が腰部２１の上側周縁２１ａの内側の前方に縫い付けられ、ライナー３１２がライナー３１１の左端とやや離間しつつ着用者の左側面にて上側周縁２１ａの内側に縫い付けられ、ライナー３１３がライナー３１１の右端とやや離間しつつ着用者の右側面にて上側周縁２１ａの内側に縫い付けられている。又、ライナー３１２、３１３の後端同士は離間している。
【００２１】
深さ可変帽子１１０においても、各ライナー３１１、３１２、３１３の各長辺３１１ｂ、３１２ｂ、３１３ｂが、腰部２１の下側周縁２１ｅ（ひいては、深さ可変帽子１１０の下側周縁）よりも距離Ｌだけ上方にて縫い付けられている。そして、各ライナー３１１、３１２、３１３の幅Ｔ≒Ｌになっていて、各ライナー３１１、３１２、３１３の各長辺３１１ａ、３１２ａ、３１３ａが自由端として各長辺３１１ｂ、３１２ｂ、３１３ｂを中心に回動可能になっている。
【００２２】
なお、深さ可変帽子１１０の場合、各ライナー３１１、３１２、３１３がクラウン部１１のほぼ全周に配置されている。このため、各ライナー３１１、３１２、３１３が径方向外側に倒れてクラウン部１１の深さが最小となる状態（図５（ｂ）、図７（ｂ））では、クラウン部１１のほぼ全周にわたって深さがｈ２に浅くなるので、帽子全体の深さもｈ２に浅くすることができる。
又、各ライナー３１１、３１２、３１３がクラウン部１１の生地をほぼ全周にわたって巻き込んで保持するので、帽子の形状保持にさらに優れる。
【００２３】
図８〜図１０は、深さ可変帽子の変形例を示す。
図８に示す深さ可変帽子１２０は、クラウン部１２と、クラウン部１２の下側周縁の全周に縫い付けられた腰部２２と、腰部２２の前側の下側周縁に縫い付けられたつば９２と、１つのライナー３２とを備える。クラウン部１２、腰部２２及びつば９２は、図５のクラウン部１１、腰部２１及びつば９１と同一であるので説明を省略する。又、クラウン部１２の後下方が切り欠き１２ｒとなっている。
【００２４】
図９に示すように、深さ可変帽子１２０は、１つのライナー３２を備えている。ライナー３２の形状は、図２のライナー３０と略同一であるが、ライナー３２の長さが、腰部２１の周方向長さよりやや短い。
そして、図１０に示すように、ライナー３２が腰部２２の上側周縁２２ａの内側のうち、切り欠き１２ｒを除くほぼ全周に縫い付けられている。
【００２５】
深さ可変帽子１２０においても、ライナー３２の長辺３２ｂが腰部２２の下側周縁２２ｅ（ひいては、深さ可変帽子１２０の下側周縁）よりも距離Ｌだけ上方にて、縫い付けられている。そして、ライナー３２の幅Ｔ≒Ｌになっていて、ライナー３２の長辺３２ａが自由端として長辺３２ｂを中心に回動可能になっている。
なお、深さ可変帽子１２０の場合、ライナー３２がクラウン部１２のほぼ全周に配置されている。このため、ライナー３２が径方向外側に倒れてクラウン部１２の深さが最小となる状態（図８（ｂ）、図１０（ｂ））では、ライナー３２がクラウン部１２の生地をほぼ全周にわたって巻き込んで保持するので、クラウン部１２のほぼ全周にわたって深さがｈ２に浅くなり、帽子全体の深さもｈ２に浅くすることができる。
又、ライナー３２がクラウン部１２の生地をほぼ全周にわたって巻き込んで保持するので、帽子の形状保持にさらに優れる。
【００２６】
図１１〜図１３は、深さ可変帽子のさらに別の変形例を示す。
図１１に示す深さ可変帽子２００はベレー帽であり、天面を有する略円筒状のクラウン部１３と、クラウン部１３の下側周縁の全周に縫い付けられた腰部２３と、３つのライナー３３１、３３２、３３３とを備える。腰部２３は、図１の腰部２０と略同一であるので説明を省略する。
【００２７】
図１２に示すように、深さ可変帽子２００は、３つのライナー３３１、３３２、３３３を備えている。各ライナー３３１、３３２、３３３の形状は、図１のライナー３０と略同一であるが、３つのライナー３３１、３３２、３３３の長さの合計が、腰部２３の周方向長さよりやや短い。
そして、図１１、図１３に示すように、ライナー３３１が腰部２３の上側周縁２３ａの内側の前方に縫い付けられ、ライナー３３２がライナー３３１の左端とやや離間しつつ着用者の左側面にて腰部２３の上側周縁２３ａの内側に縫い付けられ、ライナー３３３がライナー３３１の右端とやや離間しつつ着用者の右側面にて腰部２３の上側周縁２３ａの内側に縫い付けられている。又、ライナー３３２、３３３の後端は着用者の耳の後ろ近傍まで延びていて、深さ可変帽子２００の後ろ側にはライナーが存在しない。
【００２８】
深さ可変帽子２００においても、各ライナー３３１、３３２、３３３の各長辺３３１ｂ、３３２ｂ、３３３ｂが腰部２３の上側周縁２３ａの内側に、腰部２３の下側周縁２３ｅ（ひいては、深さ可変帽子２００の下側周縁）よりも距離Ｌだけ上方にて、縫い付けられている。そして、各ライナー３３１、３３２、３３３の幅Ｔ≒Ｌになっていて、各ライナー３３１、３３２、３３３の各長辺３３１ａ、３３２ａ、３３３ａが自由端として各長辺３３１ｂ、３３２ｂ、３３３ｂを中心に回動可能になっている。
そして、図１１（ａ）に示すように、ライナー３３１、３３２、３３３の各長辺３３１ａ、３３２ａ、３３３ａを深さ可変帽子２００（クラウン部１３）の内面で各長辺３３１ｂ、３３２ｂ、３３３ｂよりも上側に立てたとき、ライナー３３１、３３２、３３３に重なるクラウン部１３の深さｈ３が最大となる。
一方、図１１（ｂ）に示すように、ライナー３３１、３３２、３３３を径方向外側に倒し、各長辺３３１ａ、３３２ａ、３３３ａを各長辺３３１ｂ、３３２ｂ、３３３ｂよりも下側にしたとき、ライナー３３１、３３２、３３３がクラウン部１３の生地を巻き込みつつ、ライナー３３１、３３２、３３３に重なるクラウン部１３の深さが最小ｈ４となる。
【００２９】
具体的には、深さｈ３に比べ、図１１（ｂ）の状態では、ライナー３３１、３３２、３３３が腰部２３と重なるので、ライナー３３１、３３２、３３３に重なるクラウン部１３の深さｈ４はＴだけ浅くなる。
但し、図１１（ｂ）のように、ライナー３３１、３３２、３３３を径方向外側に倒すと、クラウン部１３の耳よりも前方のみの深さはｈ４に浅くなるが、クラウン部１３の後ろ側の深さはライナーが存在しないのでｈ３のままとなる。
【００３０】
図１４は、図１１の深さ可変帽子２００において、帽子の深さを変更する別の方法を示す斜視図、図１５は図１４における深さ可変帽子２００の内面図である。
図１１（ｂ）の状態では、ライナー３３１、３３２、３３３が腰部２３と重なるように倒したが、図１５（ｂ）ではライナー３３２のみを腰部２３と重なるように倒し、ライナー３３１，３３３を立てたままとしている。
これにより、図１４に示すように、ライナー３３２に重なるクラウン部１３（つまり、着用者の左側面）の深さのみｈ４に浅くなるが、他の部位の深さはｈ３のままとなり、帽子の雰囲気が図１１（ｂ）の場合と異なる。
このように、ライナーが複数ある場合に、所定のライナーのみを倒すことで、帽子の所望の部位のみを浅くしつつ、帽子の形状保持を向上させることもできる。
【００３１】
図１６は、深さ可変帽子の変形例を示す。
図１６に示す深さ可変帽子１３０は、図８に示す深さ可変帽子１２０において、ライナー３４の幅ＴをＬより大きくし、かつ腰部が存在せずにクラウン部１３の下側周縁１３ｅが帽子１３０の下側周縁に相当すること以外は、深さ可変帽子１２０と同一であるので、同一構成部分の説明を省略する。
深さ可変帽子１３０は、クラウン部１３と、クラウン部１３の前側の下側周縁１３ｅに縫い付けられたつば９２と、１つのライナー３４とを備える。
【００３２】
ライナー３４の形状は、図９のライナー３２と略同一であるが、ライナー３４の幅Ｔが、ライナー３２の幅よりも広い。
図１０と同様、ライナー３４がクラウン部１３の内側のうち、切り欠き１３ｒを除くほぼ全周に縫い付けられている。
【００３３】
深さ可変帽子１３０においては、ライナー３４の長辺３４ｂがクラウン部１３の下側周縁１３ｅ（ひいては、深さ可変帽子１３０の下側周縁）よりも距離Ｌだけ上方にて、縫い付けられている。そして、ライナー３４の幅Ｔ＞Ｌになっていて、ライナー３４の長辺３４ａが自由端として長辺３４ｂを中心に回動可能になっている。
ここで、深さ可変帽子１３０の場合、幅Ｔ＞Ｌになっているため、ライナー３４が径方向外側に倒れてクラウン部１３の深さが最小となる状態（図１６（ｂ）、図１７）では、ライナー３４の自由端である長辺３４ａが下側周縁１３ｅよりも下がり、この長辺３４ａ近傍でクラウン部１３の生地を巻き込むので、クラウン部１３の生地が下側周縁１３ｅよりも下がった垂れ下がり部１３ｈを形成し、例えばつば９２にクラウン部１３の生地が被さって、くだけた感じとなり、Ｔ≦Ｌの場合に比べて帽子の雰囲気を異ならせることができる。
【００３４】
なお、腰部を設けずにクラウン部１３の途中にライナー３４を長辺３４ｂで取り付けた場合、ライナー３４を倒した際に長辺３４ｂに対応するクラウン部１３が折れ曲がり難くなってライナー３４を回動し難くなったり、クラウン部１３の生地の反発力でライナー３４が起き上がって戻ってしまうおそれがある。
そこで、長辺３４ｂに対応するクラウン部１３の位置に周方向に沿ってステッチ１３ｍ（縫い目）を設けると、ステッチ１３ｍで折れるようになるので、ライナー３４を回動し易くなって好ましい。
また、Ｔ＞Ｌとした本例の場合、図８の帽子１２０よりも帽子全体の深さｈ５をさらに浅くすることができる。
【００３５】
本発明は上記実施形態に限定されず、本発明の思想と範囲に含まれる様々な変形及び均等物に及ぶことはいうまでもない。
帽子の形態や種類は限定されない。ライナーの材質、形状、個数も限定されない。ライナーの取付け方法も縫製に限定されず、接着剤、ハト目やリベット等による固定も可能である。又、ライナーを複数設けると、図１４、図１５に示したように、一部のライナーのみを倒すことで帽子の所望の部位のみを浅くできる。
また、上記実施形態では、ライナーの一端側が腰部の上側周縁の内側に取付られたが、腰部の深さ方向の途中、又は腰部よりも深い位置（すなわち、クラウン部）に取り付けられてもよい。
ＴとＬの大小関係も限定されない。
【符号の説明】
【００３６】
１３ｅ、２０ｅ、２１ｅ、２２ｅ、２３ｅ    帽子の下側周縁
３０，３２、３４、３１１、３１２、３１３、３３１、３３２、３３３    ライナー
３０ａ，３２ａ、３４ａ、３１１ａ、３１２ａ、３１３ａ、３３１ａ、３３２ａ、３３３ａ    ライナーの他端側
３０ｂ，３２ｂ、３４ｂ、３１１ｂ、３１２ｂ、３１３ｂ、３３１ｂ、３３２ｂ、３３３ｂ    ライナーの一端側
９０〜９２    つば
１００〜１３０、２００    深さ可変帽子
ｈ１、ｈ３    帽子の部位の深さの最大値
ｈ２、ｈ４、ｈ５    帽子の部位の深さの最小値
【図１】
2020204123.tif 000003
【図２】
2020204123.tif 000004
【図３】
2020204123.tif 000005
【図４】
2020204123.tif 000006
【図５】
2020204123.tif 000007
【図６】
2020204123.tif 000008
【図７】
2020204123.tif 000009
【図８】
2020204123.tif 000010
【図９】
2020204123.tif 000011
【図１０】
2020204123.tif 000012
【図１１】
2020204123.tif 000013
【図１２】
2020204123.tif 000014
【図１３】
2020204123.tif 000015
【図１４】
2020204123.tif 000016
【図１５】
2020204123.tif 000017
【図１６】
2020204123.tif 000018
【図１７】
2020204123.tif 000019